(57)【要約】 【課題】リムのタイプの異なる複数の眼鏡或いはリムレス眼鏡として使用可能な眼鏡セットを提供することを課題とする。  【解決手段】テンプル２１を具備するリムレス眼鏡２と、テンプル及びレンズを具備せず、リムレス眼鏡２の前面に重ね合わせて着脱自在に取り付けられる前掛眼鏡フレーム１とを備え、前掛眼鏡フレーム１がリムレス眼鏡２に取り付けられた状態において、正面視で前掛眼鏡フレーム１のリム部１２がリムレス眼鏡２のレンズ２３の外縁部に沿うように構成されている眼鏡セット１００を提供する。【選択図】  図１
0003119353.tif 000002
【実用新案登録請求の範囲】
【請求項１】
テンプルを具備するリムレス眼鏡と、
テンプル及びレンズを具備せず、前記リムレス眼鏡の前面に重ね合わせて着脱自在に取り付けられる前掛眼鏡フレームとを備え、
前記前掛眼鏡フレームが前記リムレス眼鏡に取り付けられた状態において、正面視で前記前掛眼鏡フレームのリム部が前記リムレス眼鏡のレンズの外縁部に沿うように構成されていることを特徴とする眼鏡セット。
【請求項２】
前記前掛眼鏡フレームは、前記リムレス眼鏡のレンズの外縁部全体に沿うように形成されたリム部を有する前掛眼鏡フレーム、前記リムレス眼鏡のレンズの外縁部の上半分に沿うように形成されたリム部を有する前掛眼鏡フレーム、及び前記リムレス眼鏡のレンズの外縁部の下半分に沿うように形成されたリム部を有する前掛眼鏡フレームの中から選択されたものであることを特徴とする請求項１に記載の眼鏡セット。
【請求項３】
前記前掛眼鏡フレームを構成するブリッジ部は、
前記リムレス眼鏡のブリッジ部前面の形状に対応し、当該ブリッジ部前面が嵌め込まれる凹溝が後面に形成されたブリッジ部本体と、
前記ブリッジ部本体の前記凹溝の上端から後方に向けて延設された延設部と、
前記凹溝と前後方向に対向するように前記延設部の後端部から下方に延設され、前後方向に撓むことが可能な可撓性部材からなる係止部とを備え、
前記係止部に付勢力が作用していない状態において、前記ブリッジ部本体と前記係止部の下端部との前後方向の最小の間隔が、前記リムレス眼鏡のブリッジ部の前後方向の厚みよりも小さく設定されている一方、前記凹溝の底部と前記係止部との前後方向の間隔は、前記リムレス眼鏡のブリッジ部の前後方向の厚みと略同等に設定されており、
上下方向の着脱動作によって前記リムレス眼鏡に着脱されることを特徴とする請求項１又は２に記載の眼鏡セット。
【請求項４】
前記係止部の下端部前面は、上方から下方に向けて前記ブリッジ部本体から離間する方向に湾曲した曲面形状とされていることを特徴とする請求項３に記載の眼鏡セット。
【請求項５】
前記前掛眼鏡フレームを構成するブリッジ部は、
前記リムレス眼鏡のブリッジ部前面の形状に対応し、当該ブリッジ部前面が嵌め込まれる凹溝が後面に形成されたブリッジ部本体と、
前記ブリッジ部本体の前記凹溝の下端から後方に向けて延設された延設部と、
前記凹溝と前後方向に対向するように前記延設部の後端部から上方に延設され、前後方向に撓むことが可能な可撓性部材からなる係止部とを備え、
前記係止部に付勢力が作用していない状態において、前記ブリッジ部本体と前記係止部の上端部との前後方向の最小の間隔が、前記リムレス眼鏡のブリッジ部の前後方向の厚みよりも小さく設定されている一方、前記凹溝の底部と前記係止部との前後方向の間隔は、前記リムレス眼鏡のブリッジ部の前後方向の厚みと略同等に設定されており、
上下方向の着脱動作によって前記リムレス眼鏡に着脱されることを特徴とする請求項１又は２に記載の眼鏡セット。
【請求項６】
前記前掛眼鏡フレームを構成するブリッジ部は、
ブリッジ部本体と、
前記ブリッジ部本体の上端部から後方に向けて延設された延設部と、
前記ブリッジ部本体と対向するように前記延設部の後端部から下方に延設され、前後方向に撓むことが可能な可撓性部材からなる係止部とを備え、
前記係止部の上端部前面には、前記リムレス眼鏡のブリッジ部後面の形状に対応し、当該ブリッジ部後面が嵌め込まれる凹溝が形成され、
前記係止部に付勢力が作用していない状態において、前記ブリッジ部本体と前記係止部の下端部との前後方向の最小の間隔が、前記リムレス眼鏡のブリッジ部の前後方向の厚みよりも小さく設定されている一方、前記凹溝の底部と前記ブリッジ部本体との前後方向の間隔は、前記リムレス眼鏡のブリッジ部の前後方向の厚みと略同等に設定されており、
上下方向の着脱動作によって前記リムレス眼鏡に着脱されることを特徴とする請求項１又は２に記載の眼鏡セット。
【請求項７】
前記前掛眼鏡フレームを構成するブリッジ部は、
ブリッジ部本体と、
前記ブリッジ部本体の下端部から後方に向けて延設された延設部と、
前記ブリッジ部本体と対向するように前記延設部の後端部から上方に延設され、前後方向に撓むことが可能な可撓性部材からなる係止部とを備え、
前記係止部の下端部前面には、前記リムレス眼鏡のブリッジ部後面の形状に対応し、当該ブリッジ部後面が嵌め込まれる凹溝が形成され、
前記係止部に付勢力が作用していない状態において、前記ブリッジ部本体と前記係止部の上端部との前後方向の最小の間隔が、前記リムレス眼鏡のブリッジ部の前後方向の厚みよりも小さく設定されている一方、前記凹溝の底部と前記ブリッジ部本体との前後方向の間隔は、前記リムレス眼鏡のブリッジ部の前後方向の厚みと略同等に設定されており、
上下方向の着脱動作によって前記リムレス眼鏡に着脱されることを特徴とする請求項１又は２に記載の眼鏡セット。
【請求項８】
前記前掛眼鏡フレームを構成するブリッジ部は、
前記リムレス眼鏡のブリッジ部前面の形状に対応する凹溝が後面に形成されたブリッジ部本体と、
前記ブリッジ部本体の前記凹溝の上端から後方に向けて延設された第１の係止部と、
前記第１の係止部と略同等の長さを有し、前記ブリッジ部本体の前記凹溝の下端から後方に向けて延設された第２の係止部とを備え、
前記第１の係止部及び前記第２の係止部の少なくとも何れか一方は、上下方向に撓むことが可能な可撓性部材からなり、
前記第１の係止部及び前記第２の係止部に付勢力が作用していない状態において、前記第１の係止部の後端部と前記第２の係止部の後端部との上下方向の最小の間隔が、前記リムレス眼鏡のブリッジ部の上下方向の厚みよりも小さく設定されている一方、前記第１の係止部の前端部と前記第２の係止部の前端部との上下方向の間隔は、前記リムレス眼鏡のブリッジ部の上下方向の厚みと略同等に設定されており、
なお且つ、前記第１の係止部の前端部又は前記第２の係止部の前端部の長さと前記凹溝の深さとの和が、前記リムレス眼鏡のブリッジ部の前後方向の厚みと略同等に設定されていることを特徴とする請求項１又は２に記載の眼鏡セット。
【請求項９】
前記前掛眼鏡フレームを構成するブリッジ部は、
前記リムレス眼鏡のブリッジ部前面の形状に対応し、当該ブリッジ部前面が嵌め込まれる凹溝が後面に形成されたブリッジ部本体と、
前記ブリッジ部本体の前記凹溝の上端から後方に向けて延設された第１の係止部と、
前記第１の係止部と略同等の長さを有し、前記ブリッジ部本体の前記凹溝の下端から後方に向けて延設された第２の係止部とを備え、
前記第１の係止部及び前記第２の係止部の少なくとも何れか一方は、上下方向に撓むことが可能な可撓性部材からなり、
前記第１の係止部は後端部の左右方向両端部に下方向に突出する凸部を具備し、及び／又は、前記第２の係止部は後端部の左右方向両端部に上方向に突出する凸部を具備し、
前記第１の係止部及び前記第２の係止部に付勢力が作用していない状態において、前記第１の係止部の後端部と前記第２の係止部の後端部との左右方向両端部における上下方向の間隔が、前記リムレス眼鏡のブリッジ部の上下方向の厚みよりも小さく設定されている一方、前記第１の係止部の前端部と前記第２の係止部の前端部との上下方向の間隔及び前記第１の係止部の後端部と前記第２の係止部の後端部との左右方向中央部における上下方向の間隔は、前記リムレス眼鏡のブリッジ部の上下方向の厚みと略同等に設定されており、
なお且つ、前記第１の係止部の前端部又は前記第２の係止部の前端部の長さと前記凹溝の深さとの和が、前記リムレス眼鏡のブリッジ部の前後方向の厚みと略同等に設定されていることを特徴とする請求項１又は２に記載の眼鏡セット。
【請求項１０】
前記前掛眼鏡フレームを構成するブリッジ部は、
前記リムレス眼鏡のブリッジ部前面の形状に対応し、当該ブリッジ部前面が嵌め込まれる凹溝が後面に形成されたブリッジ部本体と、
前記ブリッジ部本体の前記凹溝の上端から後方に向けて延設された第１の係止部と、
前記第１の係止部と略同等の長さを有し、前記ブリッジ部本体の前記凹溝の下端から後方に向けて延設された第２の係止部とを備え、  
前記第１の係止部及び前記第２の係止部の少なくとも何れか一方は、上下方向に撓むことが可能な可撓性部材からなり、
前記第１の係止部は後端部の左右方向両端部の内何れかの端部に下方向に突出する第１の凸部を具備すると共に、前記第２の係止部は後端部の左右方向両端部の内何れか他方の端部に上方向に突出する第２の凸部を具備し、
前記第１の係止部及び前記第２の係止部に付勢力が作用していない状態において、前記第１の係止部の後端部と前記第２の係止部の後端部との左右方向両端部における上下方向の間隔が、前記リムレス眼鏡のブリッジ部の上下方向の厚みよりも小さく設定されている一方、前記第１の係止部の前端部と前記第２の係止部の前端部との上下方向の間隔及び前記第１の係止部の後端部と前記第２の係止部の後端部との左右方向中央部における上下方向の間隔は、前記リムレス眼鏡のブリッジ部の上下方向の厚みと略同等に設定されており、
なお且つ、前記第１の係止部の前端部又は前記第２の係止部の前端部の長さと前記凹溝の深さとの和が、前記リムレス眼鏡のブリッジ部の前後方向の厚みと略同等に設定されていることを特徴とする請求項１又は２に記載の眼鏡セット。
【請求項１１】
前記リムレス眼鏡のブリッジ部及び前記前掛眼鏡フレームのブリッジ部の何れか一方に磁石が設けられると共に、前記リムレス眼鏡のブリッジ部及び前記前掛眼鏡フレームのブリッジ部の何れか他方に前記磁石と磁着する磁着手段が設けられていることを特徴とする請求項１又は２に記載の眼鏡セット。
【請求項１２】
前記前掛眼鏡フレームが前記リムレス眼鏡に取り付けられた状態において、前記前掛眼鏡フレームのブリッジ部は、前記リムレス眼鏡のブリッジ部に下方から支持される基部と、当該基部の後端から下方に延設され前記リムレス眼鏡のブリッジ部に係止される係止部とを具備し、
前記磁着手段は、前記リムレス眼鏡のブリッジ部に設けられ、
前記磁石は、前記前掛眼鏡フレームが前記リムレス眼鏡に取り付けられた状態において、前記磁着手段の後面側に対向する前記係止部の部位に設けられることを特徴とする請求項１１に記載の眼鏡セット。
【請求項１３】
前記前掛眼鏡フレームの左右方向両端部の後面に、前記リムレス眼鏡の左右方向両端部の前面の形状に対応する凹溝が設けられていることを特徴とする請求項１から１２の何れかに記載の眼鏡セット。
【考案の詳細な説明】
【技術分野】
【０００１】
本考案は、リムのタイプが異なる複数の眼鏡或いはリムレス眼鏡として使用可能な眼鏡セットに関する。
【背景技術】
【０００２】
眼鏡は、レンズ、前枠、テンプル、丁番等の各部材が連結されて構成されている。前枠には、内側に形成された溝にレンズを嵌め込んで固定するためのリムが設けられている。リムとしては、レンズの外縁部全体を嵌め込むタイプ（フルリム）の他、装飾機能を重視してレンズの外縁部の上半分或いは下半分のみを嵌め込むタイプ（ハーフリム）が知られている。さらに、近年では、前枠にリムが設けられておらず、レンズを前枠を構成するブリッジ部に直接固定するリムレス眼鏡も広く知られるようになっている。
【０００３】
ここで、近年の眼鏡に対するファッション性、デザイン性等の装飾機能重視の傾向により、一人の使用者が複数の眼鏡を所有し、ＴＰＯ（時（Time）、場所（Place）、場合（Occasion））に応じて各眼鏡を使い分けることも多く見られるようになってきている。
【考案の開示】
【考案が解決しようとする課題】
【０００４】
しかしながら、一人の使用者が、例えば、フルリムタイプの眼鏡、ハーフリムタイプの眼鏡及びリムレス眼鏡をＴＰＯに応じて使い分けるには、各眼鏡をそれぞれ別個に購入する必要があるため費用が嵩む他、一日の間で各眼鏡を使い分けるような場合には、複数の眼鏡を携帯しなければならず不便であるという問題もある。
【０００５】
本考案は、かかる従来技術の問題点を解決するべくなされたものであり、リムのタイプの異なる複数の眼鏡或いはリムレス眼鏡として使用可能な眼鏡セットを提供することを課題とする。
【課題を解決するための手段】
【０００６】
前記課題を解決するべく、本考案は、実用新案登録請求の範囲の請求項１に記載の如く、テンプルを具備するリムレス眼鏡と、テンプル及びレンズを具備せず、前記リムレス眼鏡の前面に重ね合わせて着脱自在に取り付けられる前掛眼鏡フレームとを備え、前記前掛眼鏡フレームが前記リムレス眼鏡に取り付けられた状態において、正面視で前記前掛眼鏡フレームのリム部が前記リムレス眼鏡のレンズの外縁部に沿うように構成されていることを特徴とする眼鏡セットを提供する。
【０００７】
本発明に係る眼鏡セットは、リムレス眼鏡と、該リムレス眼鏡の前面に重ね合わせて着脱自在に取り付けられる前掛眼鏡フレームとを備え、前掛眼鏡フレームがリムレス眼鏡に取り付けられた状態において、正面視で前掛眼鏡フレームのリム部がリムレス眼鏡のレンズの外縁部に沿うように構成されている。従って、前掛眼鏡フレームをリムレス眼鏡に取り付けることで、正面視で、リムレス眼鏡をあたかもリムを有する眼鏡のように視認させることが可能である。一方、前掛眼鏡フレームをリムレス眼鏡から取り外すと、リムレス眼鏡として使用することができる。このように、本考案に係る眼鏡セットは、リムレス眼鏡として使用したり、リムを有する眼鏡として使用したりすることが可能であるため、リムレス眼鏡とリムを有する眼鏡とを別個に購入、或いはそれぞれの眼鏡を携帯しなくても、ＴＰＯ応じて、これらのタイプの眼鏡を使い分けることが可能である。
【０００８】
前記前掛眼鏡フレームとしては、実用新案登録請求の範囲の請求項２に記載の如く、前記リムレス眼鏡のレンズの外縁部全体に沿うように形成されたリム部を有する前掛眼鏡フレーム、前記リムレス眼鏡のレンズの外縁部の上半分に沿うように形成されたリム部を有する前掛眼鏡フレーム、及び前記リムレス眼鏡のレンズの外縁部の下半分に沿うように形成されたリム部を有する前掛眼鏡フレームの中から選択されたものを用いることができる。
【０００９】
例えば、レンズの外縁部全体に沿うように形成されたリム部を有する前掛眼鏡フレームをリムレス眼鏡に取り付けると、リムレス眼鏡をあたかもレンズの外縁部全体がリムに嵌め込まれたフルリムタイプの眼鏡のように視認させることができる。また、レンズの外縁部の上半分に沿うように形成されたリム部を有する前掛眼鏡フレームをリムレス眼鏡に取り付けると、リムレス眼鏡をあたかもレンズの外縁部の上半分がリムに嵌め込まれたハーフリムタイプの眼鏡のように視認させることができる。同様に、レンズの外縁部の下半分に沿うように形成されたリム部を有する前掛眼鏡フレームをリムレス眼鏡に取り付けると、リムレス眼鏡をあたかもレンズの外縁部の下半分がリムに嵌め込まれたハーフリムタイプの眼鏡のように視認させることができる。このように、前掛眼鏡フレームのリム部の形状が異なる前掛眼鏡フレームを複数種用意しておき、この中から何れかを選択して使用すれば、本考案に係る眼鏡セットを、リムレス眼鏡や、複数種のリムを有する眼鏡として使い分けることが可能である。
【００１０】
なお、前掛眼鏡フレームをリムレス眼鏡に取り付けるための手段は、特に限定されず、例えば前掛眼鏡フレームとリムレス眼鏡との係合又は磁着を利用することが可能である。以下、係合及び磁着によって前掛眼鏡フレームをリムレス眼鏡に取り付けるための好ましい構成について、順に説明する。
【００１１】
係合によって取り付ける具体的構成としては、実用新案登録請求の範囲の請求項３に記載の如く、前記前掛眼鏡フレームを構成するブリッジ部は、前記リムレス眼鏡のブリッジ部前面の形状に対応し、当該ブリッジ部前面が嵌め込まれる凹溝が後面に形成されたブリッジ部本体と、前記ブリッジ部本体の前記凹溝の上端から後方に向けて延設された延設部と、前記凹溝と前後方向に対向するように前記延設部の後端部から下方に延設され、前後方向に撓むことが可能な可撓性部材からなる係止部とを備え、前記係止部に付勢力が作用していない状態において、前記ブリッジ部本体と前記係止部の下端部との前後方向の最小の間隔が、前記リムレス眼鏡のブリッジ部の前後方向の厚みよりも小さく設定されている一方、前記凹溝の底部と前記係止部との前後方向の間隔は、前記リムレス眼鏡のブリッジ部の前後方向の厚みと略同等に設定されており、上下方向の着脱動作によって前記リムレス眼鏡に着脱される構成を挙げることができる。
【００１２】
かかる構成においては、前掛眼鏡フレームを構成するブリッジ部が、リムレス眼鏡のブリッジ部前面の形状に対応し、当該ブリッジ部前面が嵌め込まれる凹溝が後面に形成されたブリッジ部本体と、ブリッジ部本体の凹溝の上端から後方に向けて延設された延設部と、凹溝と前後方向に対向するように延設部の後端部から下方に延設され、前後方向に撓むことが可能な可撓性部材からなる係止部とを備える構成とされている。そして、係止部に付勢力が作用していない状態において、凹溝の底部と係止部との前後方向の間隔が、リムレス眼鏡のブリッジ部の前後方向の厚みと略同等に設定されている。従って、前掛眼鏡フレームをリムレス眼鏡に取り付けた状態においては、リムレス眼鏡のブリッジ部前面が前掛眼鏡フレームのブリッジ部本体の凹溝に嵌め込まれ、リムレス眼鏡のブリッジ部後面が係止部の前面で係止される状態で、延設部がリムレス眼鏡のブリッジ部に下方から支持されることになる。従って、リムレス眼鏡のブリッジ部が、前掛眼鏡フレームのブリッジ部（ブリッジ部本体、延設部、係止部）に係合され、前掛眼鏡フレームのブリッジ部の前後方向及び下方向への動きが、リムレス眼鏡のブリッジ部によって規制されることになり、前掛眼鏡フレームをリムレス眼鏡に確実に取り付けることが可能である。
【００１３】
また、係止部に付勢力が作用していない状態において、ブリッジ部本体と係止部の下端部との前後方向の最小の間隔が、リムレス眼鏡のブリッジ部の前後方向の厚みよりも小さく設定されている。従って、前掛眼鏡フレームをリムレス眼鏡に取り付ける際には、前掛眼鏡フレームの延設部をリムレス眼鏡のブリッジ部の上方に配設した後、前掛眼鏡フレームを下方へ移動させれば、リムレス眼鏡のブリッジ部が前掛眼鏡フレームの係止部の下端部に当接し、係止部が後方に向けて付勢されて撓むため、ブリッジ部本体と係止部の下端部との前後方向の間隔が広がり、当該間隔を有する隙間をリムレス眼鏡のブリッジ部が容易に通過することになる。そして、リムレス眼鏡のブリッジ部が前記隙間を通過した後には、係止部が元の状態（付勢力が作用していない状態）に戻り、ブリッジ部本体と係止部の下端部との前後方向の最小の間隔がリムレス眼鏡のブリッジ部の前後方向の厚みよりも小さくなるため、当該間隔を有する隙間からリムレス眼鏡のブリッジ部が抜け難くなる。一方、前掛眼鏡フレームをリムレス眼鏡から取り外す際には、前掛眼鏡フレームの後方が上方に移動するように回動しながら前掛眼鏡フレームの全体を上方へ移動させることにより、リムレス眼鏡のブリッジ部前面が前掛眼鏡フレームのブリッジ部本体の凹溝から抜けると共に、リムレス眼鏡のブリッジ部が前掛眼鏡フレームの係止部の下端部に当接し、係止部が後方に向けて付勢されて撓むため、ブリッジ部本体と係止部の下端部との前後方向の間隔が広がり、当該間隔を有する隙間からリムレス眼鏡のブリッジ部が容易に抜けることになる。
【００１４】
以上のように、上記好ましい構成によれば、係合によって、前掛眼鏡フレームをリムレス眼鏡に容易且つ確実に取り付け可能であると共に、取り外しも容易であるという優れた利点を有する。
【００１５】
好ましくは、実用新案登録請求の範囲の請求項３に係る考案において、実用新案登録請求の範囲の請求項４に記載の如く、前記係止部の下端部前面は、上方から下方に向けて前記ブリッジ部本体から離間する方向に湾曲した曲面形状とされる。
【００１６】
かかる構成によれば、リムレス眼鏡のブリッジ部を前掛眼鏡フレームのブリッジ部本体と係止部の下端部との隙間に挿脱する際に、湾曲した曲面形状に沿ってリムレス眼鏡のブリッジ部を移動させることができるため、前掛眼鏡フレームの着脱動作をスムーズに行うことができるという利点を有する。
【００１７】
また、係合によって取り付ける具体的構成としては、請求項３に係る前掛眼鏡フレームのブリッジ部の上下を反転させた構成を採用することも可能である。すなわち、実用新案登録請求の範囲の請求項５に記載の如く、前記前掛眼鏡フレームを構成するブリッジ部は、前記リムレス眼鏡のブリッジ部前面の形状に対応し、当該ブリッジ部前面が嵌め込まれる凹溝が後面に形成されたブリッジ部本体と、前記ブリッジ部本体の前記凹溝の下端から後方に向けて延設された延設部と、前記凹溝と前後方向に対向するように前記延設部の後端部から上方に延設され、前後方向に撓むことが可能な可撓性部材からなる係止部とを備え、前記係止部に付勢力が作用していない状態において、前記ブリッジ部本体と前記係止部の上端部との前後方向の最小の間隔が、前記リムレス眼鏡のブリッジ部の前後方向の厚みよりも小さく設定されている一方、前記凹溝の底部と前記係止部との前後方向の間隔は、前記リムレス眼鏡のブリッジ部の前後方向の厚みと略同等に設定されており、上下方向の着脱動作によって前記リムレス眼鏡に着脱される構成を採用することも可能である。
【００１８】
かかる構成によれば、着脱動作の方向が上下に反転する点を除き、請求項３に係る眼鏡セットと略同等の作用効果を奏し、係合によって、前掛眼鏡フレームをリムレス眼鏡に容易且つ確実に取り付け可能であると共に、取り外しも容易であるという優れた利点を有する。
【００１９】
また、係合によって取り付ける具体的構成としては、請求項３に係る前掛眼鏡フレームのブリッジ部本体に形成された凹溝を、ブリッジ部本体ではなく係止部に形成する構成を採用することも可能である。すなわち、実用新案登録請求の範囲の請求項６に記載の如く、前記前掛眼鏡フレームを構成するブリッジ部は、ブリッジ部本体と、前記ブリッジ部本体の上端部から後方に向けて延設された延設部と、前記ブリッジ部本体と対向するように前記延設部の後端部から下方に延設され、前後方向に撓むことが可能な可撓性部材からなる係止部とを備え、前記係止部の上端部前面には、前記リムレス眼鏡のブリッジ部後面の形状に対応し、当該ブリッジ部後面が嵌め込まれる凹溝が形成され、前記係止部に付勢力が作用していない状態において、前記ブリッジ部本体と前記係止部の下端部との前後方向の最小の間隔が、前記リムレス眼鏡のブリッジ部の前後方向の厚みよりも小さく設定されている一方、前記凹溝の底部と前記ブリッジ部本体との前後方向の間隔は、前記リムレス眼鏡のブリッジ部の前後方向の厚みと略同等に設定されており、上下方向の着脱動作によって前記リムレス眼鏡に着脱される構成を採用することも可能である。
【００２０】
かかる構成によれば、請求項３に係る眼鏡セットと略同等の作用効果を奏し、係合によって、前掛眼鏡フレームをリムレス眼鏡に容易且つ確実に取り付け可能であると共に、取り外しも容易であるという優れた利点を有する。
【００２１】
また、係合によって取り付ける具体的構成としては、請求項６に係る前掛眼鏡フレームのブリッジ部の上下を反転させた構成を採用することも可能である。すなわち、実用新案登録請求の範囲の請求項７に記載の如く、前記前掛眼鏡フレームを構成するブリッジ部は、ブリッジ部本体と、前記ブリッジ部本体の下端部から後方に向けて延設された延設部と、前記ブリッジ部本体と対向するように前記延設部の後端部から上方に延設され、前後方向に撓むことが可能な可撓性部材からなる係止部とを備え、前記係止部の下端部前面には、前記リムレス眼鏡のブリッジ部後面の形状に対応し、当該ブリッジ部後面が嵌め込まれる凹溝が形成され、前記係止部に付勢力が作用していない状態において、前記ブリッジ部本体と前記係止部の上端部との前後方向の最小の間隔が、前記リムレス眼鏡のブリッジ部の前後方向の厚みよりも小さく設定されている一方、前記凹溝の底部と前記ブリッジ部本体との前後方向の間隔は、前記リムレス眼鏡のブリッジ部の前後方向の厚みと略同等に設定されており、上下方向の着脱動作によって前記リムレス眼鏡に着脱される構成を採用することも可能である。
【００２２】
かかる構成によれば、着脱動作の方向が上下に反転する点を除き、請求項６に係る前掛眼鏡フレームと略同等の作用効果を奏し、係合によって、前掛眼鏡フレームをリムレス眼鏡に容易且つ確実に取り付け可能であると共に、取り外しも容易であるという優れた利点を有する。  
【００２３】
また、係合によって取り付ける具体的構成としては、実用新案登録請求の範囲の請求項８に記載の如く、前記前掛眼鏡フレームを構成するブリッジ部は、前記リムレス眼鏡のブリッジ部前面の形状に対応する凹溝が後面に形成されたブリッジ部本体と、前記ブリッジ部本体の前記凹溝の上端から後方に向けて延設された第１の係止部と、前記第１の係止部と略同等の長さを有し、前記ブリッジ部本体の前記凹溝の下端から後方に向けて延設された第２の係止部とを備え、前記第１の係止部及び前記第２の係止部の少なくとも何れか一方は、上下方向に撓むことが可能な可撓性部材からなり、前記第１の係止部及び前記第２の係止部に付勢力が作用していない状態において、前記第１の係止部の後端部と前記第２の係止部の後端部との上下方向の最小の間隔が、前記リムレス眼鏡のブリッジ部の上下方向の厚みよりも小さく設定されている一方、前記第１の係止部の前端部と前記第２の係止部の前端部との上下方向の間隔は、前記リムレス眼鏡のブリッジ部の上下方向の厚みと略同等に設定されており、なお且つ、前記第１の係止部の前端部又は前記第２の係止部の前端部の長さと前記凹溝の深さとの和が、前記リムレス眼鏡のブリッジ部の前後方向の厚みと略同等に設定されている構成を挙げることができる。
【００２４】
かかる構成においては、前掛眼鏡フレームを構成するブリッジ部が、リムレス眼鏡のブリッジ部前面の形状に対応する凹溝が後面に形成されたブリッジ部本体と、ブリッジ部本体の凹溝の上端から後方に向けて延設された第１の係止部と、第１の係止部と略同等の長さを有し、ブリッジ部本体の凹溝の下端から後方に向けて延設された第２の係止部とを備え、第１の係止部及び第２の係止部の少なくとも何れか一方が、上下方向に撓むことが可能な可撓性部材から構成されている。そして、第１の係止部及び第２の係止部に付勢力が作用していない状態において、第１の係止部の前端部と第２の係止部の前端部との上下方向の間隔が、リムレス眼鏡のブリッジ部の上下方向の厚みと略同等に設定されており、なお且つ、第１の係止部の前端部又は第２の係止部の前端部の長さ（すなわち、第１の係止部と第２の係止部との上下方向の間隔がリムレス眼鏡のブリッジ部の上下方向の厚みと略同等に設定されている第１の係止部又は第２の係止部の前端部の長さ）と凹溝の深さとの和が、リムレス眼鏡のブリッジ部の前後方向の厚みと略同等に設定されている。従って、前掛眼鏡フレームをリムレス眼鏡に取り付けた状態においては、リムレス眼鏡のブリッジ部前面が前掛眼鏡フレームのブリッジ部本体の凹溝に嵌め込まれ、リムレス眼鏡のブリッジ部上下面が第１の係止部と第２の係止部との間で挟持されることになる。即ち、リムレス眼鏡のブリッジ部は、前掛眼鏡フレームのブリッジ部（ブリッジ部本体、第１の係止部、第２の係止部）に係合されることになる。この係合により、前掛眼鏡フレームのブリッジ部の上下方向及び後方への動きが、リムレス眼鏡のブリッジ部によって規制され、前掛眼鏡フレームをリムレス眼鏡に確実に取り付けることが可能である。
【００２５】
また、第１の係止部及び第２の係止部に付勢力が作用していない状態において、第１の係止部の後端部と第２の係止部の後端部との上下方向の最小の間隔が、リムレス眼鏡のブリッジ部の上下方向の厚みよりも小さく設定されている。従って、前掛眼鏡フレームをリムレス眼鏡に取り付ける際には、前掛眼鏡フレームの第１の係止部と第２の係止部の隙間をリムレス眼鏡のブリッジ部の前方に配設した後、前掛眼鏡フレームを後方へ移動させれば、リムレス眼鏡のブリッジ部が前掛眼鏡フレームの第１の係止部の後端部の下端及び第２の係止部の後端部の上端に当接し、第１の係止部の後端部が上方に向けて付勢されて撓むか、若しくは第２の係止部の後端部が下方に向けて付勢されて撓むか、或いは第１の係止部及び第２の係止部の双方の後端部が撓むため、第１の係止部の後端部と第２の係止部の後端部との上下方向の間隔が広がり、当該間隔を有する隙間をリムレス眼鏡のブリッジ部が通過することになる。そして、リムレス眼鏡のブリッジ部が前記隙間を通過した後には、第１の係止部若しくは第２の係止部或いはその双方が元の状態（付勢力が作用していない状態）に戻り、第１の係止部の後端部と第２の係止部の後端部との上下方向の最小の間隔がリムレス眼鏡のブリッジ部の上下方向の厚みよりも小さくなるため、当該間隔を有する隙間からリムレス眼鏡のブリッジ部が抜け難くなる。一方、前掛眼鏡フレームをリムレス眼鏡から取り外す際には、前掛眼鏡フレームを前方へ移動させることにより、リムレス眼鏡のブリッジ部前面が前掛眼鏡フレームのブリッジ部本体の凹溝から抜けると共に、リムレス眼鏡のブリッジ部が前掛眼鏡フレームの第１の係止部の後端部及び第２の係止部の後端部に当接し、第１の係止部が上方に向けて付勢されて撓むか、若しくは第２の係止部が下方に向けて付勢されて撓むか、或いは第１の係止部及び第２の係止部の双方の後端部が撓むため、第１の係止部の後端部と第２の係止部の後端部との上下方向の間隔が広がり、当該間隔を有する隙間からリムレス眼鏡のブリッジ部が抜けることになる。
【００２６】
かかる構成によれば、係合によって、前掛眼鏡フレームをリムレス眼鏡に容易且つ確実に取り付け可能であると共に、取り外しも容易であるという優れた利点を有する。
【００２７】
また、係合によって取り付ける具体的構成としては、実用新案登録請求の範囲の請求項９に記載の如く、前記前掛眼鏡フレームを構成するブリッジ部は、前記リムレス眼鏡のブリッジ部前面の形状に対応し、当該ブリッジ部前面が嵌め込まれる凹溝が後面に形成されたブリッジ部本体と、前記ブリッジ部本体の前記凹溝の上端から後方に向けて延設された第１の係止部と、前記第１の係止部と略同等の長さを有し、前記ブリッジ部本体の前記凹溝の下端から後方に向けて延設された第２の係止部とを備え、前記第１の係止部及び前記第２の係止部の少なくとも何れか一方は、上下方向に撓むことが可能な可撓性部材からなり、前記第１の係止部は後端部の左右方向両端部に下方向に突出する凸部を具備し、及び／又は、前記第２の係止部は後端部の左右方向両端部に上方向に突出する凸部を具備し、前記第１の係止部及び前記第２の係止部に付勢力が作用していない状態において、前記第１の係止部の後端部と前記第２の係止部の後端部との左右方向両端部における上下方向の間隔が、前記リムレス眼鏡のブリッジ部の上下方向の厚みよりも小さく設定されている一方、前記第１の係止部の前端部と前記第２の係止部の前端部との上下方向の間隔及び前記第１の係止部の後端部と前記第２の係止部の後端部との左右方向中央部における上下方向の間隔は、前記リムレス眼鏡のブリッジ部の上下方向の厚みと略同等に設定されており、なお且つ、前記第１の係止部の前端部又は前記第２の係止部の前端部の長さと前記凹溝の深さとの和が、前記リムレス眼鏡のブリッジ部の前後方向の厚みと略同等に設定されている構成を挙げることができる。
【００２８】
かかる構成においては、第１の係止部及び第２の係止部に付勢力が作用していない状態において、第１の係止部の後端部と第２の係止部の後端部との左右方向全長に亘って、その上下方向の間隔がリムレス眼鏡のブリッジ部の上下方向の厚みよりも小さく設定されているのではなく、その一部（左右方向両端部）の上下方向の間隔のみがリムレス眼鏡のブリッジ部の上下方向の厚みよりも小さく設定されている。すなわち、第１の係止部の凸部が左右方向の両端部にのみ、若しくは第２の係止部の凸部が左右方向の両端部にのみ、或いは第１の係止部及び第２の係止部の凸部がそれぞれ左右方向両端部にのみ設けられているため、第１の係止部及び／又は第２の係止部の左右方向全長に亘って凸部を設ける構成を採用する場合に比べて、前掛眼鏡フレームを着脱する際におけるリムレス眼鏡のブリッジ部が当接する第１の係止部及び第２の係止部の領域が少なくなり、凸部の接触抵抗が小さくなる結果、着脱が容易となる。
【００２９】
よって、かかる構成によれば、前掛眼鏡フレームをリムレス眼鏡により一層容易に取り付け可能であるという優れた利点を有する。
【００３０】
或いは、係合によって取り付ける具体的構成として、実用新案登録請求の範囲の請求項１０に記載の如く、前記前掛眼鏡フレームを構成するブリッジ部は、前記リムレス眼鏡のブリッジ部前面の形状に対応し、当該ブリッジ部前面が嵌め込まれる凹溝が後面に形成されたブリッジ部本体と、前記ブリッジ部本体の前記凹溝の上端から後方に向けて延設された第１の係止部と、前記第１の係止部と略同等の長さを有し、前記ブリッジ部本体の前記凹溝の下端から後方に向けて延設された第２の係止部とを備え、前記第１の係止部及び前記第２の係止部の少なくとも何れか一方は、上下方向に撓むことが可能な可撓性部材からなり、前記第１の係止部は後端部の左右方向両端部の内何れかの端部に下方向に突出する第１の凸部を具備すると共に、前記第２の係止部は後端部の左右方向両端部の内何れか他方の端部に上方向に突出する第２の凸部を具備し、前記第１の係止部及び前記第２の係止部に付勢力が作用していない状態において、前記第１の係止部の後端部と前記第２の係止部の後端部との左右方向両端部における上下方向の間隔が、前記リムレス眼鏡のブリッジ部の上下方向の厚みよりも小さく設定されている一方、前記第１の係止部の前端部と前記第２の係止部の前端部との上下方向の間隔及び前記第１の係止部の後端部と前記第２の係止部の後端部との左右方向中央部における上下方向の間隔は、前記リムレス眼鏡のブリッジ部の上下方向の厚みと略同等に設定されており、なお且つ、前記第１の係止部の前端部又は前記第２の係止部の前端部の長さと前記凹溝の深さとの和が、前記リムレス眼鏡のブリッジ部の前後方向の厚みと略同等に設定されている構成を採用することも可能である。
【００３１】
かかる構成においては、第１の係止部及び第２の係止部に付勢力が作用していない状態において、請求項９に係る構成と同様に、第１の係止部の後端部と第２の係止部の後端部との一部（左右方向両端部）の上下方向の間隔のみがリムレス眼鏡のブリッジ部の上下方向の厚みよりも小さく設定されている。すなわち、第１の係止部の第１の凸部が左右方向の一方の端部にのみ設けられ、第２の係止部の第２の凸部が左右方向の他方の端部にのみ設けられているため、第１の係止部及び／又は第２の係止部の左右方向全長に亘って凸部を設ける構成を採用する場合に比べて、前掛眼鏡フレームを着脱する際におけるリムレス眼鏡のブリッジ部が当接する凸部の領域が少なくなり、凸部の接触抵抗が小さくなる結果、着脱が容易となる。
【００３２】
よって、かかる構成によれば、請求項９に係る眼鏡セットと略同等の作用効果を奏し、係合によって、前掛眼鏡フレームをリムレス眼鏡により一層容易に取り付け可能であるという優れた利点を有する。
【００３３】
次に、磁着によって、前掛眼鏡フレームをリムレス眼鏡に取り付ける具体的構成を説明する。磁着によって取り付ける具体的構成としては、実用新案登録請求の範囲の請求項１１に記載の如く、前記リムレス眼鏡のブリッジ部及び前記前掛眼鏡フレームのブリッジ部の何れか一方に磁石が設けられると共に、前記リムレス眼鏡のブリッジ部及び前記前掛眼鏡フレームのブリッジ部の何れか他方に前記磁石と磁着する磁着手段が設けられている構成を挙げることができる。
【００３４】
かかる構成によれば、磁力によって、前掛眼鏡フレームをリムレス眼鏡に容易且つ確実に取り付け可能であると共に、取り外しも容易であるという優れた利点を有する。
【００３５】
ここで、眼鏡セットを使用者が着脱する（掛けたり外したりする）際に、リムレス眼鏡のテンプルを開く動作を行うと、リムレス眼鏡が若干前後方向に撓む（リムレス眼鏡のブリッジ部が後方に下がるように撓む）ため、これに応じて前掛眼鏡フレームのブリッジ部とリムレス眼鏡のブリッジ部とが互いに前後方向に離間する力が作用することになる。そのため、テンプルを開く動作に伴い、使用者の意思に反して前掛眼鏡フレームがリムレス眼鏡から脱落してしまう恐れがある。
【００３６】
上記のような脱落の恐れを回避するためには、実用新案登録請求の範囲の請求項１２に記載の如く、前記前掛眼鏡フレームが前記リムレス眼鏡に取り付けられた状態において、前記前掛眼鏡フレームのブリッジ部は、前記リムレス眼鏡のブリッジ部に下方から支持される基部と、当該基部の後端から下方に延設され前記リムレス眼鏡のブリッジ部に係止される係止部とを具備し、前記磁着手段は、前記リムレス眼鏡のブリッジ部に設けられ、前記磁石は、前記前掛眼鏡フレームが前記リムレス眼鏡に取り付けられた状態において、前記磁着手段の後面側に対向する前記係止部の部位に設けられる構成とすることができる。
【００３７】
かかる構成によれば、前掛眼鏡フレームを構成するブリッジ部がリムレス眼鏡のブリッジ部に下方から支持される基部と、当該基部の後端から下方に延設され前記リムレス眼鏡のブリッジ部に係止される係止部とを具備すると共に、前掛眼鏡フレームが前記リムレス眼鏡に取り付けられた状態において、リムレス眼鏡のブリッジ部に設けられた磁着手段の後面側に対向する係止部の部位に磁石が設けられている。換言すれば、前掛眼鏡フレームのブリッジ部の基部がリムレス眼鏡に下方から支持され、その係止部がリムレス眼鏡のブリッジ部に係止された状態で、前後方向にそれぞれ配設された磁石と磁着手段との間に磁力が作用することにより、前掛眼鏡フレームがリムレス眼鏡に取り付けられる構成である。従って、かかる構成の眼鏡セットを使用者が使用する際に、リムレス眼鏡のテンプルを開く動作を行い、これによって前掛眼鏡フレームのブリッジ部とリムレス眼鏡のブリッジ部とが互いに前後方向に離間しようとする力が作用したとしても、磁石と磁着手段との間に作用する磁力の方向が前後方向であるため、前記離間しようとする力を吸収することができる。よって、前掛眼鏡フレームをリムレス眼鏡に確実に取り付けることが可能である。また、前掛眼鏡フレームをリムレス眼鏡に取り付ける際には、前掛眼鏡フレームの基部をリムレス眼鏡のブリッジ部の上方に配設した後、前掛眼鏡フレームを下方へ移動させるだけで良く、この際に作用する磁力は前後方向であって前掛眼鏡フレームの下方への移動を阻害する方向には作用しないため、容易に取り付けることが可能である。前掛眼鏡フレームを取り外す際には、前掛眼鏡フレームを上方へ移動させるだけで良く、この際にも磁力が前掛眼鏡フレームの移動を阻害せず、容易に取り外すことが可能である。
【００３８】
上記に挙げた全ての構成において、好ましくは、実用新案登録請求の範囲の請求項１３に記載の如く、前記前掛眼鏡フレームの左右方向両端部の後面に、前記リムレス眼鏡の左右方向両端部の前面の形状に対応する凹溝が設けられている構成とされる。
【００３９】
かかる構成によれば、前掛眼鏡フレームの左右方向両端部の後面に、リムレス眼鏡の左右方向両端部の前面の形状に対応する凹溝が設けられているため、前掛眼鏡フレームをリムレス眼鏡に取り付けた際に、前記凹溝にリムレス眼鏡の左右方向両端部の前面が係合することになり、より一層確実に前掛眼鏡フレームをリムレス眼鏡に取り付けることが可能となる。
【考案の効果】
【００４０】
本考案に係る眼鏡セットによれば、前掛眼鏡フレームを着脱することによって、眼鏡セットをリムレス眼鏡として使用したり、リムを有するタイプの眼鏡として使用したりすることが可能であるため、リムレス眼鏡とリムを有するタイプの眼鏡を購入或いは携帯しなくても、ＴＰＯ応じて、これらのリムのタイプの眼鏡を使い分けることが可能である。
【考案を実施するための最良の形態】
【００４１】
以下、添付図面を参照しつつ、本考案の一実施形態に係る眼鏡セットについて説明する。
【００４２】
図１は、前掛眼鏡フレームがリムレス眼鏡に取り付けられた状態の本実施形態に係る眼鏡セットの外観図であり、図１（ａ）は正面図を示し、図１（ｂ）は平面図を示す。本実施形態に係る眼鏡セット１００は、テンプル２１を具備するリムレス眼鏡２と、テンプル及びレンズを具備せず、リムレス眼鏡２の前面に重ね合わせて着脱自在に取り付けられる前掛眼鏡フレーム１とを備えている。眼鏡セット１００は、かかる前掛眼鏡フレーム１がリムレス眼鏡２に取り付けられた状態において、正面視で前掛眼鏡フレーム１のリム部１２がリムレス眼鏡２のレンズ２３の外縁部に沿うように構成されている。
【００４３】
図２は、本実施形態に係るリムレス眼鏡２の外観図であり、図２（ａ）は正面図を示し、図２（ｂ）は平面図を示す。本実施形態に係るリムレス眼鏡２は、左右一対の各レンズ２３を２点で支持する、いわゆるツーポイントタイプのリムレス眼鏡とされている。より具体的には、リムレス眼鏡２は、左右一対のテンプル２１と、左右一対の各テンプル２１に丁番構造を介して連結された左右一対のヨロイ２２と、左右一対の各ヨロイ２２に外側端部が取り付けられた左右一対のレンズ２３と、左右一対のレンズ２３の内側端部を連結するブリッジ部２４と、ブリッジ部２４から下方に延設された左右一対の鼻パッド２５とを備えている。このように、外側端部と内側端部との２点でレンズ２３を支持することにより、リムレス眼鏡２は、リムを用いることなくレンズ２３を支持可能に形成されている。
【００４４】
図３は、本実施形態における前掛眼鏡フレーム１の外観図であり、図３（ａ）は正面図を示し、図３（ｂ）は平面図を示す。前掛眼鏡フレーム１は、左右一対のリム部１２と左右一対のリム部１２を連結するブリッジ部１１とを備える。左右一対の各リム部１２は、前掛眼鏡フレーム１がリムレス眼鏡２の前面に重ね合わせて取り付けられた状態において、眼鏡セット１００の正面視で、リムレス眼鏡２のレンズ２３の外縁部全体に沿うように形成されている（図１（ａ）参照）。具体的には、リム部１２は、レンズ２３に対応した寸法の開口部が内側に形成された環状に形成されている。但し、通常のリムと異なり、レンズを嵌め込む構成でないため、内側に溝は形成されていない。一方、ブリッジ部１１は、リムレス眼鏡２のブリッジ部２４に着脱自在に取り付けることが可能に構成されている。ブリッジ部１１の具体的構成については後述する。なお、ブリッジ部１１、リム部１２の材質は、特に限定されるものでなく、金属、プラスックなどから適宜選択することができる。
【００４５】
図１（ａ）に示すように、以上に説明した構成を有するリムレス眼鏡２のブリッジ部２４に前掛眼鏡フレーム１のブリッジ部１１を取り付けると、眼鏡セット１００の正面視において、リム部１２が、リムレス眼鏡２のレンズ２３の外縁部全体に沿うため、リムレス眼鏡２をあたかもフルリムタイプの眼鏡のように視認させることが可能である。一方、リムレス眼鏡２のブリッジ部２４から前掛眼鏡フレーム１のブリッジ部１１を取り外すと、リムレス眼鏡２として使用することができる。このように、本実施形態に係る眼鏡セット１００は、前掛眼鏡フレーム１をリムレス眼鏡２に対して着脱することにより、リムレス眼鏡として使用したり、フルリムタイプの眼鏡として使用したりすることが可能である。よって、本実施形態に係る眼鏡セット１００によれば、リムレス眼鏡とフルリムタイプの眼鏡とを別個に購入或いは携帯しなくても、ＴＰＯに応じて、これらのタイプの眼鏡を使い分けることが可能となる。
【００４６】
なお、図１（ａ）に示すように、本実施形態に係る前掛眼鏡フレーム１のリム部１２は、リムレス眼鏡２のレンズ２３の外縁部全体に沿うような形状であるが、本考案に採用可能なリム部１２の形状は、特にこれに限定されるものでない。図４は、リム部１２がリムレス眼鏡２のレンズ２３の外縁部の一部分にのみ沿うような形状の前掛眼鏡フレーム１を例示する図である。図４（ａ）は、リムレス眼鏡２のレンズ２３の外縁部の上半分にのみ沿うように形成されたリム部１２Ｋを有する前掛眼鏡フレーム１Ｋの正面図を示し、図４（ｂ）は、図４（ａ）に示す前掛眼鏡フレーム１Ｋをリムレス眼鏡２に取り付けた状態の眼鏡セット１００Ｋの正面図を示す。図４（ａ）に示す前掛眼鏡フレーム１Ｋにおいては、リム部１２Ｋの具体的な形状は、開口部を下方に向けた略半楕円弧状とされている。また、図４（ｃ）は、リムレス眼鏡２のレンズ２３の外縁部の下半分にのみ沿うように形成されたリム部１２Ｌを有する前掛眼鏡フレーム１Ｌの正面図を示し、図４（ｄ）は、図４（ｃ）に示す前掛眼鏡フレーム１Ｌをリムレス眼鏡２に取り付けた状態の眼鏡セット１００Ｌの正面図を示す。図４（ｃ）に示す前掛眼鏡フレーム１Ｌにおいては、リム部１２Ｌの具体的な形状は、開口部を上方に向けた略半楕円弧状とされている。
【００４７】
図４（ｂ）に示すように、レンズ２３の外縁部の上半分に沿うように形成されたリム部１２Ｋを有する前掛眼鏡フレーム１Ｋをリムレス眼鏡２に取り付けることで、リムレス眼鏡２を、あたかもレンズ２３の外縁部の上半分がリムに嵌め込まれたハーフリムタイプの眼鏡のように視認させることが可能である。同様に、図４（ｄ）に示すように、レンズ２３の外縁部の下半分に沿うように形成されたリム部１２Ｌを有する前掛眼鏡フレーム１Ｌを、リムレス眼鏡２に取り付けることで、リムレス眼鏡２をあたかもレンズ２３の外縁部の下半分がリムに嵌め込まれたハーフリムタイプの眼鏡のように視認させることが可能である。このように、リム部１２の形状が異なる前掛眼鏡フレーム１を複数種用意しておき、この中から何れかを選択して使用すれば、本実施形態に係る眼鏡セット１００を、リムレス眼鏡や、複数種のリムを有する眼鏡として使い分けることが可能である。
【００４８】
また、本実施形態に係るリムレス眼鏡２は、ツーポイントタイプのリムレス眼鏡であるが、本考案に採用可能なリムレス眼鏡は、ツーポイントタイプのリムレス眼鏡に限定されるものでない。図５は、ツーポイントタイプ以外のリムレス眼鏡を例示する図である。図５（ａ）は、レンズ２３を１点のみで支持する、いわゆるワンポイントタイプのリムレス眼鏡２Ｍの正面図を示し、図５（ｂ）は、ワンポイントタイプのリムレス眼鏡２Ｍに本実施形態に係る前掛眼鏡フレーム１（図３参照）を取り付けた状態の眼鏡セット１００Ｍの正面図を示す。図５（ｃ）は、レンズ２３を３点で支持する、いわゆるスリーポイントタイプのリムレス眼鏡２Ｎの正面図を示し、図５（ｄ）は、スリーポイントタイプのリムレス眼鏡２Ｎに本実施形態に係る前掛眼鏡フレーム１（図３参照）を取り付けた状態の眼鏡セット１００Ｎの正面図を示す。
【００４９】
図５（ａ）に示す、ワンポイントタイプのリムレス眼鏡２Ｍは、左右一対のテンプル（図示せず）と、左右一対の各テンプルに連結された左右一対のヨロイ２２Ｍと、左右一対の各ヨロイ２２Ｍと連結された前枠本体２６とを備える。図５（ａ）に示すワンポイントタイプのリムレス眼鏡２Ｍは、ヨロイ２２Ｍと前枠本体２６とが一体物として形成されている。かかる前枠本体２６は、中央部に形成されたブリッジ部２４Ｍを備えている。該ブリッジ部２４Ｍには、該ブリッジ部２４Ｍから下方に延設された左右一対の鼻パッド２５が取り付けられている。ブリッジ部２４Ｍの左右方向外端部には、それぞれレンズ取付部２８が下方に延設されている。左右一対の各レンズ２３は、それぞれの内側端部の一点がレンズ取付部２８の先端で支持されている。
【００５０】
図５（ｂ）に示すように、ワンポイントタイプのリムレス眼鏡２Ｍであっても、ブリッジ部２４に前掛眼鏡フレーム１のブリッジ部１１を取り付けると、あたかもフルリムタイプの眼鏡のように視認させることが可能である。
【００５１】
一方、図５（ｃ）に示す、スリーポイントタイプのリムレス眼鏡２Ｎは、ヨロイ２２Ｎが上下に分岐し、該ヨロイ２２Ｎに、レンズ２３の外側端部の上部と下部の２点が取り付けられている構成を除き、図２に示すツーポイントタイプのリムレス眼鏡２と同じ構成である。
【００５２】
図５（ｄ）に示すように、スリーポイントタイプのリムレス眼鏡２Ｎであっても、ブリッジ部２４に前掛眼鏡フレーム１のブリッジ部１１を取り付けると、あたかもフルリムタイプの眼鏡のように視認させることが可能である。
【００５３】
なお、図示していないが、ワンポイントタイプやスリーポイントタイプのリムレス眼鏡２Ｍ、２Ｎに、図４（ａ）及び図４（ｃ）に示す前掛眼鏡フレーム１Ｋ、１Ｌを取り付ければ、各リムレス眼鏡２Ｍ、２Ｎをあたかもレンズ２３の外縁部の上半分又は下半分がリムに嵌め込まれたハーフリムタイプの眼鏡のように視認させることができる。
【００５４】
また、図６は、図１（ｂ）のＡ−Ａ矢視断面拡大図を示す。本実施形態に係る前掛眼鏡フレーム１は、好ましい構成として、前掛眼鏡フレーム１の左右方向両端部の後面に、リムレス眼鏡２の左右方向両端部の前面の形状に対応する凹溝１３（図３（ｂ）参照）が設けられている。本実施形態において、前掛眼鏡フレーム１の左右方向両端部とは、左右のリム部１２の外側端部であり、リムレス眼鏡２の左右方向両端部とは、リムレス眼鏡２の左右のヨロイ２２の部分である。そして、凹溝１３は、前掛眼鏡フレーム１の左右のリム部１２の外側端部後面に設けられ、その形状が、ヨロイ２２の前面に対応する形状とされている。
【００５５】
かかる好ましい構成により、例えば、前掛眼鏡フレーム１をリムレス眼鏡２に取り付けた際に、凹溝１３にリムレス眼鏡２のヨロイ２２が係合（図６参照）することになり、より一層確実に前掛眼鏡フレーム１をリムレス眼鏡２に取り付けることが可能である。
【００５６】
以下、前掛眼鏡フレーム１のブリッジ部１１の具体的構成について説明する。まず、係合によって、リムレス眼鏡２に前掛眼鏡フレーム１を着脱自在に取り付けることを実現するための、ブリッジ部１１の構成について説明する。
【００５７】
＜具体的構成その１＞
図７は、本具体的構成その１に係るブリッジ部１１が採用された前掛眼鏡フレーム１を説明する図である。図７（ａ）は、本具体的構成その１に係るブリッジ部１１が採用された前掛眼鏡フレーム１の平面図を、図７（ｂ）は、図１（ｂ）のＢ―Ｂ矢視断面拡大図を、図７（ｃ）は、図７（ａ）のＣ―Ｃ矢視断面拡大図を、図７（ｄ）は、前掛眼鏡フレーム１をリムレス眼鏡２に取り付ける際における図７（ｃ）に示す状態から図７（ｂ）に示す状態への遷移過程を示す断面拡大図を、図７（ｄ）は、前掛眼鏡フレーム１をリムレス眼鏡２から取り外す際における図７（ｂ）に示す状態から図７（ｃ）に示す状態への遷移過程を示す断面拡大図を示す。
【００５８】
図７（ｃ）に示すように、本具体的構成その１に係るブリッジ部１１は、リムレス眼鏡２のブリッジ部２４前面の形状に対応する凹溝１１１ａが後面に形成されたブリッジ部本体１１１と、ブリッジ部本体１１１の凹溝１１１ａの上端から後方に向けて延設された延設部１１２と、凹溝１１１ａと前後方向に対向するように延設部１１２の後端部から下方に延設され、前後方向に撓むことが可能な可撓性部材（可撓性を有する樹脂材料や金属材料の他、可撓性を有するものであれば、何れの材料を採用してもよい）からなる係止部１１３とを備えている。
【００５９】
そして、係止部１１３に付勢力が作用していない状態（図７（ａ）、図７（ｃ）の状態）において、ブリッジ部本体１１１と係止部１１３の下端部との前後方向の最小の間隔Ｔ１が、リムレス眼鏡２のブリッジ部２４の前後方向の厚みＴ（図７（ｂ）参照）よりも小さく設定されている。一方、凹溝１１１ａの底部と係止部１１３との前後方向の間隔Ｔ２は、リムレス眼鏡２のブリッジ部２４の前後方向の厚みＴと略同等に設定されている。
【００６０】
以上の構成により、前掛眼鏡フレーム１をリムレス眼鏡２に取り付けた状態（図７（ｂ）の状態）においては、リムレス眼鏡２のブリッジ部前面２４ａが前掛眼鏡フレーム１のブリッジ部本体１１１の凹溝１１１ａに嵌め込まれ、リムレス眼鏡２のブリッジ部後面２４ｂが係止部１１３の前面で係止される状態で、延設部１１２がリムレス眼鏡２のブリッジ部２４に下方から支持されることになる。従って、リムレス眼鏡２のブリッジ部２４が、前掛眼鏡フレーム１のブリッジ部本体１１１と延設部１１２と係止部１１３とに係合され、前掛眼鏡フレーム１のブリッジ部１１の前後方向及び下方向への動きが、リムレス眼鏡２のブリッジ部２４によって規制される。この規制によって、前掛眼鏡フレーム１をリムレス眼鏡２に確実に取り付けることが可能となる。
【００６１】
前掛眼鏡フレーム１をリムレス眼鏡２に取り付ける際（図７（ｄ）参照）には、前掛眼鏡フレーム１の延設部１１２をリムレス眼鏡２のブリッジ部２４の上方に配設した後、前掛眼鏡フレーム１を下方（図７（ｄ）の矢符Ｚの方向）へ移動させれば良い。これによりリムレス眼鏡２のブリッジ部２４が前掛眼鏡フレーム１の係止部１１３の下端部に当接し、係止部１１３が後方（図７（ｄ）の白抜き矢符の方向）に向けて付勢されて撓む（図７（ｄ）の破線で示す状態から実線で示す状態に遷移する）。この撓みにより、ブリッジ部本体１１１と係止部１１３の下端部との前後方向の間隔が広がり、当該間隔を有する隙間をリムレス眼鏡２のブリッジ部２４が容易に通過することになる。そして、リムレス眼鏡２のブリッジ部２４が前記隙間を通過した後には、係止部１１３が元の状態（付勢力が作用していない状態）に戻る。これにより、ブリッジ部本体１１１と係止部１１３の下端部との前後方向の最小の間隔がリムレス眼鏡２のブリッジ部２４の前後方向の厚みＴよりも小さくなるため、当該間隔を有する隙間からリムレス眼鏡２のブリッジ部２４が抜け難くなる。
【００６２】
一方、前掛眼鏡フレーム１をリムレス眼鏡２から取り外す際（図７（ｅ）参照）には、前掛眼鏡フレーム１の後方が上方に移動するように回動（図７（ｅ）の矢符Ｘの方向に回動）させながら前掛眼鏡フレーム１の全体を上方（図７（ｅ）の矢符Ｙの方向）へ移動させる。これにより、リムレス眼鏡２のブリッジ部前面２４ａが前掛眼鏡フレーム１のブリッジ部本体１１１の凹溝１１１ａから抜ける。さらに、リムレス眼鏡２のブリッジ部２４が前掛眼鏡フレーム１の係止部１１３の下端部に当接し、係止部１１３が後方（図７（ｅ）の白抜き矢符の方向）に向けて付勢されて撓む（図７（ｅ）の破線で示す状態から実線で示す状態に遷移する）。この撓みによって、ブリッジ部本体１１１と係止部１１３の下端部との前後方向の間隔が広がり、当該間隔を有する隙間からリムレス眼鏡２のブリッジ部２４が容易に抜けることになる。
【００６３】
以上に説明したように、本具体的構成その１によれば、係合によって、前掛眼鏡フレーム１をリムレス眼鏡２に容易且つ確実に取り付け可能であると共に、取り外しも容易であるという優れた利点を有する。
【００６４】
なお、本具体的構成その１に係るブリッジ部１１は、好ましい構成として、係止部１１３の下端部前面１１３ａ（図７（ｃ）参照）が、上方から下方に向けてブリッジ部本体１１１から離間する方向に湾曲した曲面形状とされている。
【００６５】
かかる好ましい構成により、リムレス眼鏡２のブリッジ部２４を前掛眼鏡フレーム１のブリッジ部本体１１１と係止部１１３の下端部との隙間に挿脱する際（図７（ｄ）及び図７（ｅ））に、湾曲した曲面形状に沿ってリムレス眼鏡２のブリッジ部２４を移動させることができるため、前掛眼鏡フレーム１の着脱動作をスムーズに行うことができるという利点を有する。
【００６６】
＜具体的構成その２＞
図８は、他の具体的構成に係るブリッジ部１１の断面拡大図である。図８（ａ）は、本具体的構成その２に係るブリッジ部の断面拡大図を示す。図８（ａ）に示すように、本具体的構成その２に係るブリッジ部１１Ａは、図７を参照して説明したブリッジ部１１の上下を反転させた構成となっている。より具体的に説明すれば、ブリッジ部１１Ａは、リムレス眼鏡２のブリッジ部２４前面の形状に対応する凹溝１１１Ａａが後面に形成されたブリッジ部本体１１１Ａと、ブリッジ部本体１１１Ａの凹溝１１１Ａａの下端から後方に向けて延設された延設部１１２Ａと、凹溝１１１Ａａと前後方向に対向するように延設部１１２Ａの後端部から上方に延設され、前後方向に撓むことが可能な可撓性部材からなる係止部１１３Ａとを備えている。かかる係止部１１３Ａに付勢力が作用していない状態において、ブリッジ部本体１１１Ａと係止部１１３Ａの上端部との前後方向の最小の間隔Ｔ１が、リムレス眼鏡２のブリッジ部２４の前後方向の厚みＴ（図７（ｂ）参照）よりも小さく設定されている。一方、凹溝１１１Ａａの底部と係止部１１３Ａとの前後方向の間隔Ｔ２は、リムレス眼鏡２のブリッジ部２４の前後方向の厚みＴと略同等に設定されている。
【００６７】
本具体的構成その２に係るブリッジ部１１Ａが採用された前掛眼鏡フレーム１についても、着脱動作の方向が、前述した具体的構成その１のブリッジ部１１が採用された前掛眼鏡フレーム１とは上下に反転する点を除き、略同等の作用効果を奏し、リムレス眼鏡２に容易且つ確実に取り付け可能であると共に、取り外しも容易である。ただし、本具体的構成その２に係るブリッジ部１１Ａは上方が開口している構成であるため、前述したブリッジ部１１に比べれば、前掛眼鏡フレーム１が自重によって下方向へ移動しようとする動きを阻止する機能が劣ることになる。従って、本具体的構成その２に係るブリッジ部１１Ａは、比較的軽量の前掛眼鏡フレーム１に採用することが好ましい。
【００６８】
＜具体的構成その３＞
図８（ｂ）は、本具体的構成その３に係るブリッジ部の断面拡大図を示す。図８（ｂ）に示すように、本具体的構成その３に係るブリッジ部１１Ｂは、図７を参照して説明したブリッジ部１１のブリッジ部本体１１１に形成された凹溝１１１ａを、ブリッジ部本体１１１ではなく係止部１１３に形成した構成である。より具体的に説明すれば、ブリッジ部１１Ｂは、ブリッジ部本体１１１Ｂと、ブリッジ部本体１１１Ｂの上端部から後方に向けて延設された延設部１１２Ｂと、ブリッジ部本体１１１Ｂと対向するように延設部１１２Ｂの後端部から下方に延設され、前後方向に撓むことが可能な可撓性部材からなる係止部１１３Ｂとを備えている。かかる係止部１１３Ｂの上端部前面には、リムレス眼鏡２のブリッジ部２４後面の形状に対応する凹溝１１３Ｂａが形成されている。係止部１１３Ｂに付勢力が作用していない状態において、ブリッジ部本体１１１Ｂと係止部１１３Ｂの下端部との前後方向の最小の間隔Ｔ１が、リムレス眼鏡２のブリッジ部２４の前後方向の厚みＴ（図７（ｂ）参照）よりも小さく設定されている。一方、凹溝１１３Ｂａの底部とブリッジ部本体１１１Ｂとの前後方向の間隔Ｔ２は、リムレス眼鏡２のブリッジ部２４の前後方向の厚みＴと略同等に設定されている。
【００６９】
本具体的構成その３に係るブリッジ部１１Ｂが採用された前掛眼鏡フレーム１についても、前述したブリッジ部１１が採用された前掛眼鏡フレーム１と略同等の作用効果を奏し、リムレス眼鏡２に容易且つ確実に取り付け可能であると共に、取り外しも容易である。
【００７０】
＜具体的構成その４＞
図８（ｃ）は、本具体的構成その４に係るブリッジ部の断面拡大図を示す。図８（ｃ）に示すように、本具体的構成その４に係るブリッジ部１１Ｃは、図８（ｂ）のブリッジ部１１Ｂの上下を反転させた構成となっている。より具体的に説明すれば、ブリッジ部１１Ｃは、ブリッジ部本体１１１Ｃと、ブリッジ部本体１１１Ｃの下端部から後方に向けて延設された延設部１１２Ｃと、ブリッジ部本体１１１Ｃと対向するように延設部１１２Ｃの後端部から上方に延設され、前後方向に撓むことが可能な可撓性部材からなる係止部１１３Ｃとを備える。かかる係止部１１３Ｃの下端部前面には、リムレス眼鏡２のブリッジ部２４後面の形状に対応する凹溝１１３Ｃａが形成されている。係止部１１３Ｃに付勢力が作用していない状態において、ブリッジ部本体１１１Ｃと係止部１１３Ｃの上端部との前後方向の最小の間隔Ｔ１が、リムレス眼鏡２のブリッジ部２４の前後方向の厚みＴ（図７（ｂ）参照）よりも小さく設定されている。一方、凹溝１１３Ｃａの底部とブリッジ部本体１１１Ｃとの前後方向の間隔Ｔ２は、リムレス眼鏡２のブリッジ部２４の前後方向の厚みＴと略同等に設定されている。
【００７１】
本具体的構成その４に係るブリッジ部１１Ｃが採用された前掛眼鏡フレーム１についても、着脱動作の方向が、前述したブリッジ部１１が採用された前掛眼鏡フレーム１や、ブリッジ部１１Ｂが採用された前掛眼鏡フレーム１とは上下に反転する点を除き、略同等の作用効果を奏し、リムレス眼鏡２に容易且つ確実に取り付け可能であると共に、取り外しも容易である。ただし、本具体的構成その４に係るブリッジ部１１Ｃは上方が開口している構成であるため、前述したブリッジ部１１やブリッジ部１１Ｂに比べれば、前掛眼鏡フレーム１が自重によって下方向へ移動しようとする動きを阻止する機能が劣ることになる。従って、本具体的構成その４に係るブリッジ部１１Ｃも前述したブリッジ部１１Ａと同様に、比較的軽量の前掛眼鏡フレームに採用することが好ましい。
【００７２】
＜具体的構成その５＞
図９は、具体的構成その５〜７に係るブリッジ部が採用された前掛眼鏡フレーム１を説明する図である。図９（ａ）は、本具体的構成その５に係るブリッジ部が採用された前掛眼鏡フレーム１の平面図を、図９（ｂ）は、図９（ａ）のＤ―Ｄ矢視断面拡大図を示す。図９（ｂ）に示すように、本具体的構成その５に係るブリッジ部１１Ｄは、リムレス眼鏡２のブリッジ部２４前面の形状に対応する凹溝１１１Ｄａが後面に形成されたブリッジ部本体１１１Ｄと、ブリッジ部本体１１１Ｄの凹溝１１１Ｄａの上端から後方に向けて延設された第１の係止部１１３Ｄａと、第１の係止部１１３Ｄａと略同等の長さを有し、ブリッジ部本体１１１Ｄの凹溝１１１Ｄａの下端から後方に向けて延設された第２の係止部１１３Ｄｂとを備えている。そして、第１の係止部１１３Ｄａ及び第２の係止部１１３Ｄｂの少なくとも何れか一方は、上下方向に撓むことが可能な可撓性部材から構成されている。第１の係止部１１３Ｄａ及び第２の係止部１１３Ｄｂに付勢力が作用していない状態において、第１の係止部１１３Ｄａと第２の係止部１１３Ｄｂとの後端部の左右方向全長に亘って、第１の係止部１１３Ｄａと第２の係止部１１３Ｄｂとの上下方向の最小の間隔Ｈ１が、リムレス眼鏡２のブリッジ部２４の上下方向の厚みＨ（図７（ｂ）参照）よりも小さく設定されている。一方、第１の係止部１１３Ｄａの前端部と第２の係止部１１３Ｄｂの前端部との上下方向の間隔Ｈ２は、リムレス眼鏡２のブリッジ部２４の上下方向の厚みＨと略同等に設定されている。また、第１の係止部１１３Ｄａの前端部又は第２の係止部１１３Ｄｂの前端部の長さと凹溝１１１Ｄａの深さとの和Ｔ３が、リムレス眼鏡２のブリッジ部２４の前後方向の厚みＴと略同等に設定されている。
【００７３】
以上の構成により、ブリッジ部１１Ｄが採用された前掛眼鏡フレーム１をリムレス眼鏡２に取り付けた状態においては、リムレス眼鏡２のブリッジ部２４前面が前掛眼鏡フレーム１のブリッジ部本体１１１Ｄの凹溝１１１Ｄａに嵌め込まれ、リムレス眼鏡２のブリッジ部２４上下面が第１の係止部１１３Ｄａと第２の係止部１１３Ｄｂとにより挟持される。即ち、リムレス眼鏡２のブリッジ部２４は、ブリッジ部本体１１１と、第１の係止部１１３Ｄａと、第２の係止部１１３Ｄｂとに係合されることになる。従って、本実施形態に係る前掛眼鏡フレーム１のブリッジ部１１Ｄの上下方向及び後方への動きが、リムレス眼鏡２のブリッジ部２４によって規制されることになり、前掛眼鏡フレーム１をリムレス眼鏡２に確実に取り付けることが可能である。
【００７４】
本具体的構成その５に係るブリッジ部１１が採用された前掛眼鏡フレーム１をリムレス眼鏡２に取り付ける際には、前掛眼鏡フレーム１の第１の係止部１１３Ｄａと第２の係止部１１３Ｄｂの隙間をリムレス眼鏡２のブリッジ部２４の前方に配設した後、前掛眼鏡フレーム１を後方（図９の紙面右方向）へ移動させる。前掛眼鏡フレーム１を後方に移動させると、リムレス眼鏡２のブリッジ部２４が前掛眼鏡フレーム１の第１の係止部１１３Ｄａの後端部の下端及び第２の係止部１１３Ｄｂの後端部の上端部に当接する。リムレス眼鏡２のブリッジ部２４が第１の係止部１１３Ｄａ及び第２の係止部１１３Ｄｂに当接すると、第１の係止部１１３Ｄａの後端部が上方に向けて付勢されて撓む（第１の係止部１１３Ｄａが可撓性材料からなる場合）か、若しくは第２の係止部１１３Ｄｂの後端部が下方に向けて付勢されて撓む（第２の係止部１１３Ｄｂが可撓性材料からなる場合）か、或いは第１の係止部１１３Ｄａ及び第２の係止部１１３Ｄｂの双方の後端部が撓む（第１の係止部１１３Ｄａ及び第２の係止部１１３Ｄｂの双方が可撓性材料からなる場合）。このような撓みによって、第１の係止部１１３Ｄａの後端部と第２の係止部１１３Ｄｂの後端部との上下方向の間隔が広がり、当該間隔を有する隙間をリムレス眼鏡２のブリッジ部２４が通過することになる。そして、リムレス眼鏡２のブリッジ部２４が前記隙間を通過した後には、第１の係止部１１３Ｄａ若しくは第２の係止部１１３Ｄｂ或いはその双方が元の状態（付勢力が作用していない状態）に戻る。即ち、第１の係止部１１３Ｄａの後端部と第２の係止部１１３Ｄｂの後端部との上下方向の最小の間隔がリムレス眼鏡２のブリッジ部２４の上下方向の厚みＨよりも小さくなる。このように、第１の係止部１１３Ｄａと第２の係止部１１３Ｄｂとの後端部の上下方向の最小の間隔が小さくなると、当該間隔を有する隙間からリムレス眼鏡２のブリッジ部２４が抜け難くなる。
【００７５】
一方、前掛眼鏡フレーム１をリムレス眼鏡２から取り外す際には、前掛眼鏡フレーム１を前方へ移動させることにより、リムレス眼鏡２のブリッジ部２４前面が前掛眼鏡フレーム１のブリッジ部本体１１１Ｄの凹溝１１１Ｄａから抜ける。さらに、リムレス眼鏡２のブリッジ部２４が前掛眼鏡フレーム１の第１の係止部１１３Ｄａの後端部及び第２の係止部１１３Ｄｂの後端部に当接し、第１の係止部１１３Ｄａが上方に向けて付勢されて撓むか、若しくは第２の係止部１１３Ｄｂが下方に向けて付勢されて撓むか、或いは第１の係止部１１３Ｄａ及び第２の係止部１１３Ｄｂの双方の後端部が撓む。この撓みによって、第１の係止部１１３Ｄａの後端部と第２の係止部１１３Ｄｂの後端部との上下方向の間隔が広がり、当該間隔を有する隙間からリムレス眼鏡２のブリッジ部２４が抜けることになる。
【００７６】
従って、本具体的構成その５に係るブリッジ部１１Ｄが採用された前掛眼鏡フレーム１についても、リムレス眼鏡２に容易且つ確実に取り付け可能であると共に、取り外しも容易である。
【００７７】
＜具体的構成その６＞
図９（ｃ）は、本具体的構成その６に係るブリッジ部の左右方向中央部の断面拡大図を、図９（ｄ）は、本具体的構成その６に係るブリッジ部の左右方向一方端部の断面拡大図を、図９（ｅ）は、本具体的構成その６に係るブリッジ部の図９（ｃ）の矢符Ｆの方向から見た拡大図を示す。
【００７８】
本具体的構成その６に係るブリッジ部１１Ｅは、具体的構成その５に係るブリッジ部１１Ｄと異なり、第１の係止部１１３Ｅａ及び第２の係止部１１３Ｅｂに付勢力が作用していない状態において、図９（ｅ）に示すように、第１の係止部１１３Ｅａと第２の係止部１１３Ｅｂとの後端部の左右方向両端部の上下方向の間隔Ｈ１のみが、リムレス眼鏡２のブリッジ部２４の上下方向の厚みＨ（図７（ｂ）参照）よりも小さく設定されている。
【００７９】
図９（ｃ）及び（ｄ）に示すように、本具体的構成その６においては、第１の係止部１１３Ｅａは、後端部の左右方向両端部に下方向に突出する凸部１１３Ｅｃを具備し、及び、第２の係止部１１３Ｅｂは、後端部の左右方向両端部に上方向に突出する凸部１１３Ｅｄを具備する構成とされている。第１の係止部１１３Ｅａ及び第２の係止部１１３Ｅｂに付勢力が作用していない状態において、この凸部１１３Ｅｃ、１１３Ｅｄとの上下方向の間隔Ｈ１が、リムレス眼鏡２のブリッジ部２４の上下方向の厚みＨ（図７（ｂ）参照）よりも小さく設定されている。一方、第１の係止部１１３Ｅａの前端部と第２の係止部１１３Ｅｂの前端部との上下方向の間隔Ｈ２と、凸部１１３Ｅｃ、１１３Ｅｄの形成されていない第１の係止部１１３Ｅａと第２の係止部１１３Ｅｂとの後端部の左右方向中央部における上下方向の間隔Ｈ２（図９（ｃ）参照）とは、略等しく、それぞれリムレス眼鏡２のブリッジ部２４の上下方向の厚みＨと略同等に設定されている。そのため、前掛眼鏡フレーム１を着脱する際におけるリムレス眼鏡２のブリッジ部２４が当接する第１の係止部１１３Ｅａ及び第２の係止部１１３Ｅｂの領域が後端部の左右方向両端部のみとなり、具体的構成その５に比べて少なく、接触抵抗が小さくなる結果、着脱が容易となる。
【００８０】
よって、具体的構成その６によれば、前掛眼鏡フレーム１をリムレス眼鏡２により一層容易に取り付け可能であるという優れた利点を有する。
【００８１】
なお、具体的構成その６は、第１の係止部１１３Ｅａと第２の係止部１１３Ｅｂとの両方に凸部１１３Ｅｃ、１１３Ｅｄが具備されている。しかしながら、第１の係止部１１３Ｅａと第２の係止部１１３Ｅｂとの後端部の左右方向両端部の上下方向の間隔Ｈ１が、リムレス眼鏡２のブリッジ部２４の上下方向の厚みＨ（図７（ｂ）参照）よりも小さく設定されていれば、凸部は、第１の係止部１１３Ｅａと第２の係止部１１３Ｅｂの何れかの一方にのみ形成されていてもよい。
【００８２】
＜具体的構成その７＞  
図１０は、本具体的構成その７に係るブリッジ部の背面図である。本具体的構成その７に係るブリッジ部１１Ｆは、具体的構成その６に係るブリッジ部１１Ｅと異なり、第１の係止部１１３Ｆａが後端部の左右方向両端部の内何れか一方の端部に下方向に突出する第１の凸部１１３Ｆｃを具備すると共に、第２の係止部１１３Ｆｂが後端部の左右方向両端部の内何れか他方の端部に上方向に突出する第２の凸部１１３Ｆｂを具備する構成とされる。そして、第１の係止部１１３Ｆａ及び第２の係止部１１３Ｆｂに付勢力が作用していない状態において、第１の係止部１１３Ｆａと第２の係止部１１３Ｆｂとの後端部の左右方向両端部における上下方向の間隔Ｈ１が、リムレス眼鏡２のブリッジ部２４の上下方向の厚みＨ（図７（ｂ）参照）よりも小さく設定されている。このように、第１の係止部１１３Ｆａと第２の係止部１１３Ｆｂの後端部との左右方向両端部における上下方向の間隔Ｈ１が、リムレス眼鏡２のブリッジ部２４の上下方向の厚みＨよりも小さく設定されていることにより、具体的構成その６に係るブリッジ部１１と同様の作用効果を有することが可能である。
【００８３】
＜具体的構成その８＞
次に、磁着によって、リムレス眼鏡２と前掛眼鏡フレーム１とを着脱自在に取り付けることを実現するための、ブリッジ部１１の構成について説明する。図１１は、本具体的構成その８に係るブリッジ部が採用された前掛眼鏡フレーム１を、リムレス眼鏡２に取り付けた状態の眼鏡セット１００の断面拡大図を示す。
【００８４】
本具体的構成その８においては、リムレス眼鏡２のブリッジ部２４Ｇに磁着手段が設けられ、前掛眼鏡フレーム１のブリッジ部１１Ｇに磁石３１が設けられている。前掛眼鏡フレーム１のブリッジ部１１Ｇの後面をリムレス眼鏡２のブリッジ部２４Ｇの前面に重ね合わせて、磁着手段及び磁石３１を磁着させることにより、本具体的構成その８のブリッジ部１１Ｇが採用された前掛眼鏡フレーム１は、本具体的構成その８に係るブリッジ部２４Ｇが採用されたリムレス眼鏡２に着脱自在に取り付けられるように構成されている。
【００８５】
本具体的構成その８に係るブリッジ部１１Ｇは、ブリッジ部本体１１１Ｇと、ブリッジ部本体１１１Ｇに取り付けられリムレス眼鏡２のブリッジ部２４Ｇに下方から支持される基部１１５Ｇと、基部１１５Ｇの後端から下方に延設されリムレス眼鏡２のブリッジ部２４Ｇに係止される係止部１１３Ｇとを具備している。
【００８６】
磁着手段は、リムレス眼鏡２のブリッジ部２４Ｇに設けられている。より具体的に説明すれば、本具体的構成その８においては、リムレス眼鏡２のブリッジ部２４Ｇ全体が磁性体材料（例えば、ステンレス等）から形成されており、これにより前掛眼鏡フレーム１に設けられた磁石３１と磁着することが可能である。なお、本考案における磁着手段としてはこれに限るものではなく、磁石３１と対向するブリッジ部２４Ｇの一部分のみを磁性体材料から形成した磁着手段の他、磁石３１と互いに引き付け合う方向に磁極の向きが設定された磁石を磁着手段とする構成を採用することも可能である。
【００８７】
図１１に示すように、磁石３１は、前掛眼鏡フレーム１がリムレス眼鏡２に取り付けられた状態において、磁着手段（本具体的構成その８においてはブリッジ部２４Ｇ全体）の後面側（図１１の紙面右側）に対向する係止部１１３Ｇの部位に設けられている。従って、磁石３１と磁着手段との間に作用する磁力の方向は、図１１に矢符で示す前後方向となる。なお、本具体的構成その８における磁石３１は、作用する磁力が少しでも強くなるように、その前側端面が外部に露出した状態で係止部１１３Ｇに取り付けられている。しかしながら、本考案はこれに限るものではなく、磁石３１と磁着手段とを磁着させる磁力が作用する限りにおいて、磁石３１を係止部１１３Ｇ内部に埋設する構成を採用することも可能である。
【００８８】
本具体的構成その８に係るブリッジ部１１Ｇが採用された前掛眼鏡フレーム１を備える眼鏡セット１００は、以上に説明した構成を有するため、眼鏡セット１００を使用者が着脱する際に、リムレス眼鏡２のテンプル２１を開く動作を行い、これに伴って前掛眼鏡フレーム１のブリッジ部１１Ｇとリムレス眼鏡２のブリッジ部２４Ｇとが互いに前後方向に離反しようとする力が作用したとしても、磁石３１と磁着手段との間に作用する磁力の方向（互いに引き付け合う力の方向）が前後方向であるため、離反しようとする力を吸収することができる。よって、前掛眼鏡フレーム１をリムレス眼鏡２に確実に取り付けることが可能である。また、前掛眼鏡フレーム１をリムレス眼鏡２に取り付ける際には、前掛眼鏡フレーム１のブリッジ部１１Ｇの基部１１５Ｇをリムレス眼鏡２のブリッジ部２４Ｇの上方（図１１の紙面上側）に配設した後、前掛眼鏡フレーム１を下方へ移動させるだけでよい。この際に作用する磁力は前後方向であって前掛眼鏡フレーム１の下方への移動を阻害する方向には作用しないため、簡易に取り付けることが可能である。一方、前掛眼鏡フレーム１を取り外す際には、前掛眼鏡フレーム１を上方へ移動させるだけで良く、この際にも磁力が前掛眼鏡フレーム１の移動を阻害することもない。
【００８９】
このように、本具体的構成その８に係るブリッジ部２４Ｇ、１１Ｇが採用されたリムレス眼鏡２と前掛眼鏡フレーム１を備える眼鏡セット１００によれば、リムレス眼鏡２の前面に前掛眼鏡フレーム１を磁力を介して簡易に取り付けることができると共に、使用者の意志に反して前掛眼鏡フレーム１がリムレス眼鏡２から脱離するおそれがなく確実に取り付けることができるという優れた利点を有する。
【００９０】
また、具体的構成その８においては、磁石３１が係止部１１３Ｇに設けられているが、磁石３１と磁着手段との間で作用する磁力の方向が前後方向である限りにおいて、磁石３１が設けられる部位は、限定されるものでない。例えば磁石３１をブリッジ部本体１１１Ｇに設けることも可能である。また、具体的構成その８においては、磁石３１が前掛眼鏡フレーム１のブリッジ部１１Ｇに、磁着手段がリムレス眼鏡２のブリッジ部２４Ｇに設けられているが、磁石３１がリムレス眼鏡２のブリッジ部２４Ｇに、磁着手段が前掛眼鏡フレーム１のブリッジ部１１Ｇに設けられる構成を採用することも可能である。
【図面の簡単な説明】
【００９１】
【図１】図１は、本考案の一実施形態に係る眼鏡セットの外観図である。
【図２】図２は、本考案の一実施形態に係るリムレス眼鏡の外観図である。
【図３】図３は、本考案の一実施形態に係る前掛眼鏡フレームの外観図である。
【図４】図４は、本考案の他の実施形態に係る前掛眼鏡フレームの外観図及び、他の実施形態に係る前掛眼鏡フレームをリムレス眼鏡に取り付けた状態の外観図である。
【図５】図５は、本考案の他の実施形態に係るリムレス眼鏡の外観図及び、他の実施形態に係るリムレス眼鏡に前掛眼鏡フレームを取り付けた状態の外観図である。
【図６】図６は、図１（ｂ）のＡ−Ａ矢視断面拡大図である。
【図７】図７は、前掛眼鏡フレームとリムレス眼鏡とのブリッジ部の具体的構成を示す図である。
【図８】図８は、前掛眼鏡フレームのブリッジ部の具体的構成を示す図である。
【図９】図９は、前掛眼鏡フレームのブリッジ部の具体的構成を示す図である。
【図１０】図１０は、前掛眼鏡フレームのブリッジ部の具体的構成を示す図である。
【図１１】図１１は、前掛眼鏡フレームとリムレス眼鏡とのブリッジ部の具体的構成を示す図である。
【符号の説明】
【００９２】
１００  眼鏡セット
１  前掛眼鏡フレーム
１１  ブリッジ部
１２  リム部
１３  凹溝
１１１  ブリッジ部本体
１１２  延設部
１１３  係止部
１１５  基部
２  リムレス眼鏡
２１  テンプル
２２  ヨロイ
２３  レンズ
２４  ブリッジ部
２５  鼻パッド
３１  磁石
【図１】
0003119353.tif 000003
【図２】
0003119353.tif 000004
【図３】
0003119353.tif 000005
【図４】
0003119353.tif 000006
【図５】
0003119353.tif 000007
【図６】
0003119353.tif 000008
【図７】
0003119353.tif 000009
【図８】
0003119353.tif 000010
【図９】
0003119353.tif 000011
【図１０】
0003119353.tif 000012
【図１１】
0003119353.tif 000013